(57)【要約】【課題】    装着持の煩わしさが軽減されて安定した装着感が得られると共に、計測した生体情報を音声で確認可能な耳装着型電子機器を実現すること。【解決手段】  本体部１０と、右アーム部３Ｒと、左アーム部３Ｌと、右ドライバユニット３４Ｒと、左ドライバユニット３４Ｌと、脈拍センサ部５とを備えて構成する。右アーム部３Ｒは、本体部１０の右上端部で内側矢印Ｖ１の方向に付勢するように支持される。また、左アーム支持部１０Ｌは、本体部１０の左上端部で内側矢印Ｖ３の方向に付勢するように支持される。右ドライバユニット支持部３２Ｒには、パルススイッチを配設し、左ドライバユニット支持部３２Ｌには、チューナスイッチ３６Ｌを配設する。脈拍センサ部５は、挟着挟着可能なクリップ部を有し、本体部１０の左側面からケーブル５０を介して電気的に接続する。【選択図】  図１
2005185725.tif 000002
【特許請求の範囲】
【請求項１】
装着時に後頭下方部付近で保持される本体部と、
この本体部から延出した一対のアーム部と、
この各アーム部それぞれの先端部に支持された一対のスピーカ部と、
左右の耳朶の一方に係止されて生体情報を検出すると共にこの検出した生体情報を前記本体部に出力する検出部とを備え、
前記本体部は、
前記一対のスピーカ部へ音声信号を出力する音声出力部と、
前記検出部から出力された生体情報を計測する計測部と、
を備えていることを特徴とする耳装着型電子機器。
【請求項２】
前記本体部は、
前記各先端部を近接させる方向に前記各アーム部を付勢する付勢機構を有し、前記アーム部を通じて前記各スピーカ部に伝達される前記付勢機構の付勢力によって、左右の耳孔を通る直線を揺動軸として装置装着時の姿勢が決められることを特徴とする請求項１記載の耳装着型電子機器。
【請求項３】
前記スピーカ部は放音面を底面とする略半球体の形状を有し、底面が装着時前方に向くように略半球体の側部が前記アーム部で支持されていることを特徴とする請求項１に記載の耳装着型電子機器。
【請求項４】
振動検出手段を前記本体部に内蔵し、歩行又は走行ピッチを計測することを特徴とする請求項１〜３の何れか一項に記載の耳装着型電子機器。
【請求項５】
装着時に後頭下方部付近で保持される本体部と、
この本体部から延出した一対のアーム部と、
この各アーム部それぞれの先端部に支持された一対のスピーカ部と、
左右の耳朶の内一方の耳朶に係止されて生体情報を検出すると共にこの検出した生体情報を前記本体部に出力する検出部と、
前記生体情報の計測に関する操作指示部とを備えており、前記操作指示部は、前記左右の耳朶の内他方の耳朶に対応するアーム部側に設けられていることを特徴とする耳装着型電子機器。
【請求項６】
装着時に後頭下方部付近で保持される本体部と、
この本体部から延出した一対のアーム部と、
この各アーム部それぞれの先端部に支持された一対のスピーカ部と、
左右の耳朶の内の一方の耳朶に係止されて生体情報を検出すると共にこの検出した生体情報を前記本体部に出力する検出部と、
前記本体部は、
前記一対のスピーカ部へ音声信号を出力する音声出力部と、
前記検出部から出力された生体情報を計測する計測部と、
前記アーム部は、
前記生体情報の計測に関する操作指示部とを備えており、前記操作指示部は、前記左右の耳朶の内他方の耳朶に対応するアーム部側に設けられていることを特徴とする耳装着型電子機器。
【発明の詳細な説明】
【技術分野】
【０００１】
本発明は、耳装着型電子機器に関し、より詳細には血流に関する生体情報の計測と音声出力とを、同時に可能とするように構成された電子機器に関する。
【背景技術】
【０００２】
従来から、脈拍や心拍数等といった人体の血流に関する生体情報を測定する電子機器がある。このような電子機器の製品には形状・大きさが様々なものがあり、携帯可能な大きさに小型化されたり、他の製品に一体的に組み込まれているものがある。
【０００３】
一例として腕時計に脈拍センサを内蔵した電子機器がある。使用者は、腕時計に組み込まれた脈拍センサに指端の腹面を当接することで、脈拍センサにより光学的に脈拍が検出され、腕時計本体の表示部に脈拍数が表示される。
【０００４】
このような小型化された電子機器は、例えば、ジョギングやウォーキング等の運動中に使用されることが多い。ところが、腕時計型の電子機器では、腕時計の表示部に測定結果が表示されるため、測定結果の確認のためには、手首に装着されている腕時計を目線の高さまで持ち上げなければならず、運動の妨げとなってしまっていた。
【０００５】
そこで、測定結果を音声によって知らせる耳装着型の電子機器として次の技術が考案された。すなわち、ＥＣＧ（electrocardiogram）測定電極を配置したベルトとヘッドホンとにより構成され、当該ベルトを胸部や腹部といった胴体に巻き付け、ＥＣＧ測定電極を介して測定された心拍数をヘッドホンから音声出力するヘッドホン型の電子機器である（特許文献１参照）。
【特許文献１】米国特許第５３１４３８９号明細書
【発明の開示】
【発明が解決しようとする課題】
【０００６】
しかし、特許文献１の電子機器において、胴体に巻き付けられたベルトからヘッドホンまでを接続するケーブルは、頭部から胴体までに懸架された状態となる。このため、運動中にケーブルは浮遊してしまい、例えば、走行中の腕の振り上げに邪魔になり、運動の妨げとなってしまった。
【０００７】
また、ヘッドホンは、アーム部の撓みに対する弾性力のみでその装着時の姿勢が保持されているため、使用者の体の動き、特に頭部の動きに伴って容易にずれたり外れたりしてしまうことがあった。
【０００８】
また、心拍数の測定をするためには、ベルトを胴体に巻き付けなければならなく、当該ベルトの装着操作及び装着感は煩わしいものであった。
【０００９】
本発明は、以上のような課題に鑑みて為されたものであり、その目的とするところは、装着持の煩わしさが軽減され安定した装着感が得られると共に、常に正確な生体情報の計測を行うことを可能とする耳装着型電子機器を実現することである。
また、本発明は、ジョギング等の運動中においても、左右の耳部に荷重負担がかからず、装着感が良好な耳装着型電子機器である。
【課題を解決するための手段】
【００１０】
以上の課題を解決するために、請求項１に記載の耳装着型電子機器は、
装着時に後頭下方部付近で保持される本体部（例えば、図２の本体部１０）と、
この本体部から延出した一対のアーム部（例えば、図１の右アーム部３Ｒ、左アーム部３Ｌ）と、
この各アーム部それぞれの先端部に支持された一対のスピーカ部（例えば、図２の右ドライバユニット３４Ｒ、左ドライバユニット３４Ｌ）と、
左右の耳朶の一方に係止されて生体情報を検出すると共にこの検出した生体情報を前記本体部に出力する検出部（例えば、図１の脈拍センサ部５）とを備え、
前記本体部は、
前記一対のスピーカ部へ音声信号を出力する音声出力部（例えば、図５の音声出力部１１６）と、
前記検出部から出力された生体情報を計測する計測部（例えば、図５の脈拍計測部１０８）と、
を備えていることを特徴としている。
【００１１】
請求項１に記載の発明によれば、音声出力部と計測部とを備えた本体部は、装着時に後頭下方部付近で保持される。これにより、本体部の自重によって後頭部の下方に当接した状態で装着時姿勢が安定化するため、使用者の頭部の動きに対する揺動が抑制され安定した装着感が得られる。また、生体情報を検出するための検出部が左右の耳朶の一方に係止される。これにより、使用者は、耳朶を検出手段で挟むといった容易な操作で血流に関する生体情報を計測することができる。また、例えば、運動中において耳朶は、胴体や腕等の運動の主体となる部位より動きが少ないため、装着時の煩わしさが軽減され、より常に正確な生体情報の計測を行うことが可能となる。
【００１２】
請求項２に記載の発明は、請求項１に記載の耳装着型電子機器であって、前記本体部は、前記各先端部を近接させる方向に前記各アーム部を付勢する付勢機構（例えば、図４の捻りコイルバネ１０２Ｒ）を有し、前記アーム部を通じて前記各スピーカ部に伝達される前記付勢機構の付勢力によって、左右の耳孔を通る直線を揺動軸（例えば、図１（ａ）の揺動軸Ｓ１）として装置装着時の姿勢が決められることを特徴としている。
【００１３】
請求項２に記載の発明によれば、請求項１に記載の発明と同様の効果が得られるのは無論のこと、各アーム部の先端部を近接する方向に付勢する本体部の付勢機構による付勢力は、当該アーム部を通じて各スピーカ部に伝達され、当該スピーカ部は、装着時に頭部内側方向に押圧されている。従って、各スピーカ部は使用者の頭部の動きに対しずれにくくなるため、安定した装着感が得られる。
【００１４】
また、左右の耳孔を通る直線を揺動軸として装着時の姿勢が決められ、本体部の自重によって後頭部の下方に当接した状態で装着時姿勢が安定化するため、使用者の頭部の上下方向の動きに対する揺動が抑制され安定した装着感が得られる。
【００１５】
請求項３に記載の発明は、請求項１に記載の耳装着型電子機器であって、
前記スピーカ部は放音面を底面とする略半球体の形状を有し、底面が装着時前方に向くように略半球体の側部が前記アーム部で支持されていることを特徴としている。
【００１６】
請求項３に記載の発明によれば、請求項１に記載の発明と同様の効果が得られるのは無論のこと、略半球体の形状のスピーカ部の底面を放音面とし、当該放音面を装着時に前方に向けるようにアーム部がスピーカ部の側部を支持する。従って、例えば、スピーカ部が耳孔内に挿入可能に形成されている場合、スピーカ部が略半球体形状に形成されているため、スピーカ部の着脱に際し、耳孔との間で一定の抵抗が生じる。従って、スピーカ部を耳孔内へ挿入するだけで、一定の装着感及び安定感が得られる。
【００１７】
また、放音面が前方に向いた略半球体の形状であるため、外部から耳孔を完全に閉ざし、外界の音を遮断することがない。従って、ユーザは、例えば、ジョギング時に使用するとき等に、スピーカ部からの音声が出力されていても、交通に関する外界の音を聞きとることができる。
【００１８】
請求項４に記載の発明は、請求項１〜３の何れか一項に記載の耳装着型電子機器において、
振動検出手段を前記本体部に内蔵し、歩行又は走行ピッチを計測する（例えば、図５の振動計測部１０６）ことを特徴としている。
【００１９】
請求項４に記載の発明によれば、請求項１〜３に記載の発明と同様の効果が得られるのは無論のこと、歩行又は走行ピッチを計測する耳装着型電子機器が実現される。
【００２０】
請求項５に記載の耳装着型電子機器は、
装着時に後頭下方部付近で保持される本体部（例えば、図２の本体部１０）と、
この本体部から延出した一対のアーム部（例えば、図１の右アーム部３Ｒ、左アーム部３Ｌ）と、
この各アーム部それぞれの先端部に支持された一対のスピーカ部（例えば、図２の右ドライバユニット３４Ｒ、左ドライバユニット３４Ｌ）と、
左右の耳朶の内一方の耳朶に係止されて生体情報を検出すると共にこの検出した生体情報を前記本体部に出力する検出部（例えば、図１の脈拍センサ部５）と、
前記生体情報の計測に関する操作指示部（例えば、図３（ａ）のパルススイッチ３６Ｒ）とを備えており、前記操作指示部は、前記左右の耳朶の内他方の耳朶に対応するアーム部側に設けられていることを特徴としている。
【００２１】
請求項５に記載の発明によれば、生体情報を検出するための検出部が左右の耳朶の内の一方に係止され、操作指示部は、左右の耳朶の内の他方の耳朶に対応するアーム部側に設けられる。すなわち、検出手段が係止された耳朶とは反対側のアーム部に操作指示部が設けられる。従って、使用者の操作指示部の操作が検出手段の生体情報の検出へ与える影響を低減することができる。
【００２２】
請求項６に記載の耳装着型電子機器は、
装着時に後頭下方部付近で保持される本体部（例えば、図２の本体部１０）と、
この本体部から延出した一対のアーム部（例えば、図１の右アーム部３Ｒ、左アーム部３Ｌ）と、
この各アーム部それぞれの先端部に支持された一対のスピーカ部（例えば、図２の右ドライバユニット３４Ｒ、左ドライバユニット３４Ｌ）と、
左右の耳朶の内の一方の耳朶に係止されて生体情報を検出すると共にこの検出した生体情報を前記本体部に出力する検出部（例えば、図１の脈拍センサ部５）と、
前記本体部は、
前記一対のスピーカ部へ音声信号を出力する音声出力部（例えば、図５の音声出力部１１６）と、
前記検出部から出力された生体情報を計測する計測部（例えば、図５の脈拍計測部１０８）と、
前記アーム部は、
前記生体情報の計測に関する操作指示部（例えば、図３（ａ）のパルススイッチ３６Ｒ）とを備えており、前記操作指示部は、前記左右の耳朶の内他方の耳朶に対応するアーム部側に設けられていることを特徴としている。
【００２３】
請求項６に記載の発明によれば、音声出力部と計測部とを備えた本体部は、装着時に後頭下方部付近で保持される。これにより、本体部の自重によって後頭部の下方に当接した状態で装着時姿勢が安定化するため、使用者の頭部の動きに対する揺動が抑制され安定した装着感が得られる。
【００２４】
また、生体情報を検出するための検出部が左右の耳朶の内の一方に係止され、操作指示部は、左右の耳朶の内の他方の耳朶に対応するアーム部側に設けられ、検出手段により検出された生体情報は、計測部により計測される。すなわち、検出手段が係止された耳朶とは反対側のアーム部に操作指示部が設けられる。従って、使用者の操作指示部の操作が検出手段の生体情報の検出へ与える影響を低減することができる。
【発明の効果】
【００２５】
請求項１に記載の発明によれば、音声出力部と計測部とを備えた本体部は、装着時に後頭下方部付近で保持される。これにより、本体部の自重によって後頭部の下方に当接した状態で装着時姿勢が安定化するため、使用者の頭部の動きに対する揺動が抑制され安定した装着感が得られる。また、生体情報を検出するための検出部が左右の耳朶の一方に係止される。これにより、使用者は、耳朶を検出手段で挟むといった容易な操作で血流に関する生体情報を計測することができる。また、例えば、運動中において耳朶は、胴体や腕等の運動の主体となる部位より動きが少ないため、装着時の煩わしさが軽減され、より常に正確な生体情報の計測を行うことが可能となる。
【００２６】
請求項２に記載の発明によれば、各アーム部の先端部を近接する方向に付勢する本体部の付勢機構による付勢力は、当該アーム部を通じて各スピーカ部に伝達され、当該スピーカ部は、装着時に頭部内側方向に押圧されている。従って、各スピーカ部は使用者の頭部の動きに対しずれにくくなるため、安定した装着感が得られる。
【００２７】
また、左右の耳孔を通る直線を揺動軸として装着時の姿勢が決められ、本体部の自重によって後頭部の下方に当接した状態で装着時姿勢が安定化するため、使用者の頭部の上下方向の動きに対する揺動が抑制され安定した装着感が得られる。
【００２８】
請求項３に記載の発明によれば、略半球体の形状のスピーカ部の底面を放音面とし、当該放音面を装着時に前方に向けるようにアーム部がスピーカ部の側部を支持する。従って、例えば、スピーカ部が耳孔内に挿入可能に形成されている場合、スピーカ部が略半球体形状に形成されているため、スピーカ部の着脱に際し、耳孔との間で一定の抵抗が生じる。従って、スピーカ部を耳孔内へ挿入するだけで、一定の装着感及び安定感が得られる。
【００２９】
また、放音面が前方に向いた略半球体の形状であるため、外部から耳孔を完全に閉ざし、外界の音を遮断することがない。従って、ユーザは、例えば、ジョギング時に使用するとき等に、スピーカ部からの音声が出力されていても、交通に関する外界の音を聞きとることができる。
【００３０】
請求項４に記載の発明によれば、歩行又は走行ピッチを計測する耳装着型電子機器が実現される。
【００３１】
請求項５に記載の発明によれば、生体情報を検出するための検出部が左右の耳朶の内の一方に係止され、操作指示部は、左右の耳朶の内の他方の耳朶に対応するアーム部側に設けられる。すなわち、検出手段が係止された耳朶とは反対側のアーム部に操作指示部が設けられる。従って、使用者の操作指示部の操作が検出手段の生体情報の検出へ与える影響を低減することができる。
【００３２】
請求項６に記載の発明によれば、音声出力部と計測部とを備えた本体部は、装着時に後頭下方部付近で保持される。これにより、本体部の自重によって後頭部の下方に当接した状態で装着時姿勢が安定化するため、使用者の頭部の動きに対する揺動が抑制され安定した装着感が得られる。
【００３３】
また、生体情報を検出するための検出部が左右の耳朶の内の一方に係止され、操作指示部は、左右の耳朶の内の他方の耳朶に対応するアーム部側に設けられ、検出手段により検出された生体情報は、計測部により計測される。すなわち、検出手段が係止された耳朶とは反対側のアーム部に操作指示部が設けられる。従って、使用者の操作指示部の操作が検出手段の生体情報の検出へ与える影響を低減することができる。
【発明を実施するための最良の形態】
【００３４】
以下、本発明の耳装着型電子機器を耳装着型の脈拍測定装置（以下、「耳装着型装置」と略す。）１に適用した場合の実施形態について図１〜図６を参照して詳細に説明する。なお、説明における方向は、耳装着型装置１を装着した使用者にとっての方向とする。具体的には、耳装着型装置１を装着した場合の顔面側（図１（ｂ）の左側）を前、後頭部側（図１（ｂ）の右側）を後とし、左耳側を左、右耳側を右、上を上、下を下とする。また、左右のアーム部３Ｒ，３Ｌが近接する方向、すなわち頭部の中央に向けた方向を内側方向とし、その逆を外側方向とする。
【００３５】
先ず、耳装着型装置１の概要を説明する。
耳装着型装置１は、本体部１０と、右アーム部３Ｒと、左アーム部３Ｌと、スピーカ部である右ドライバユニット３４Ｒ及び左ドライバユニット３４Ｌと、脈拍センサ部５とを備えて構成される。右アーム部３Ｒは、本体部１０の右上端部で内側矢印Ｖ１の方向に付勢するように支持されている。また、左アーム部３Ｌは、本体部１０の左上端部で内側矢印Ｖ３の方向に付勢するように支持されている。
【００３６】
右アーム部３Ｒの先端部には、右ドライバユニット３４Ｒを支持する右ドライバユニット支持部３２Ｒが設けられている。左アーム部３Ｌの先端部には、左ドライバユニット３４Ｌを支持する左ドライバユニット支持部３２Ｌが設けられている。
【００３７】
右ドライバユニット支持部３２Ｒの右側面には、測定直後の脈拍数を読み上げる音を出力させるためのパルススイッチ３６Ｒが配設されており、左ドライバユニット支持部３２Ｌの左側面には、ラジオの選局を行うためのチューナスイッチ３６Ｌが配設されている。
【００３８】
脈拍センサ部５は、脈拍という血流の状態を検出する検出手段であり、耳介の一部である耳朶に挟着可能なクリップを有し、脈拍を光学的に検出するためのセンサが挟着面に配設されている。脈拍センサ部５は、本体部１０の左側面からケーブル５０を介して電気的に接続されている。尚、光学的に脈拍を検出するセンサの機構、構成については、公知技術であるため、その詳細な説明は省略する。
【００３９】
使用者は、耳装着型装置１を装着するために、右ドライバユニット３４Ｒと左ドライバユニット３４Ｌとが離間する方向へ右アーム部３Ｒと左アーム部３Ｌとを把持して広げる。そして、後頭部Ｈ側から頭部を回り込むようにして、耳装着型装置１を移動し、右ドライバユニット３４Ｒを右耳の耳孔７Ｒに、左ドライバユニット３４Ｌを左耳の耳孔７Ｌに挿入して、耳装着型装置１を装着する。
【００４０】
このとき、右アーム部３Ｒと左アーム部３Ｌとを介して右ドライバユニット３４Ｒと左ドライバユニット３４Ｌとに伝達される付勢力により、当該右ドライバユニット３４Ｒと左ドライバユニット３４Ｌとが耳孔内の方向（内側方向）に押圧される。また、図１（ｂ）のように、本体部１０の背面（操作パネル１６の裏面）が後頭部Ｈの下方に当接されて、本体部１０の姿勢が保持される。
【００４１】
このような耳装着型装置１では、以下のような効果が得られる。
先ず、右ドライバユニット３４Ｒが耳孔７Ｒ（図示せず）に、左ドライバユニット３４Ｌが耳孔７Ｌ内に挿入され、右アーム部３Ｒ及び左アーム部３Ｌを通じて伝達された付勢力で頭部の内側方向に押圧されることで、右ドライバユニット３４Ｒ及び左ドライバユニット３４Ｌは、確実に耳孔内に挿入される。このため、各ドライバユニットは、頭部の動きに対して抜けにくくなり、安定した装着感が得られる。
【００４２】
また、耳孔７Ｒに挿入される右ドライバユニット３４Ｒと、耳孔７Ｌに挿入される左ドライバユニット３４Ｌとを結ぶ直線が本体部１０が上下方向に揺動する揺動軸Ｓ１となり得るが、耳装着型装置１の揺動軸Ｓ１の軸方向へのズレは抑制される。
【００４３】
また、本体部１０の内部にはバッテリー等の電源部や各種制御回路が内蔵されるため、本体部１０は、耳装着型装置１の大部分の重量を占め、ある程度の重量物となる。このため本体部１０は、その自重と揺動軸Ｓ１との関係から後頭部Ｈの下方付近に当接される。従って、耳装着型装置１は、本体部１０が後頭部Ｈの下方付近に当接した安定した姿勢で保持され、使用者が運動中であったとしても、揺動軸Ｓ１の回転方向への揺動が抑制される。
【００４４】
また、頭部への当接箇所が、左右の耳孔７Ｒ、７Ｌ及び後頭部Ｈの３カ所であるため、従来のヘッドホンのように頭部を覆い囲むような閉塞感が軽減され、快適な装着感が得られる。
【００４５】
また、右アーム部３Ｒは耳介１１Ｒ（図示せず）の外側から、左アーム部３Ｌは耳介１１Ｌの外側から頭部に圧接される。従って、耳介１１Ｒの付け根部分に右アーム部３Ｒが、耳介１１Ｌの付け根部分に左アーム部３Ｌが掛からないため、耳装着型装置１の装着時に、眼鏡を容易に着用することができる。
【００４６】
また、本体部１０の左側面に接続された脈拍センサ部５は左耳介の耳朶９Ｌを挟着することで係止される。従って、耳装着型装置１は使用者の頭部への装着で装着が完結するため、ケーブル５０が使用者の運動の障害となりにくい。
【００４７】
また、脈拍センサ部５が挟着・係止されているのが左耳（左側）であるのに対し、パルススイッチ３６Ｒは右ドライバユニット支持部３２Ｒ上（右側）に配設されている。これにより、脈拍数の測定結果を聞くためのパルススイッチ３６Ｒの操作という耳装着型装置１の右側に対する操作が、左側の脈拍センサ部５の脈拍検出に与える影響を低減することができる。
【００４８】
次に、耳装着型装置１の構造について詳細に説明する。
本体部１０には、内部にラジオ受信回路部１１４や脈拍計測部１０８等の各種制御回路や電源部等が内蔵され、正面に操作パネル１６が配設されている。また、背面に着脱可能な蓋１４と、右端に右アーム支持部１０Ｒと、左端に左アーム支持部１０Ｌとが形成されている。
【００４９】
操作パネル１６には、例えば、ＬＣＤ（Liquid Crystal Display）等で構成される表示部１２と各種スイッチ群１８が配設されている。各種スイッチ群１８には、耳装着型装置１の動作モードを設定するためのモードスイッチ１８ａと、ラジオの受信を開始させるためのラジオスイッチ１８ｂと、ストップウォチの動作と脈拍センサ部５による脈拍の検出動作とを同時に開始又は停止させるためのスタートストップスイッチ１８ｃと、電源をＯＮ／ＯＦＦさせるための電源スイッチ１８ｄと、音量を変更するための音量スイッチ１８ｅとがある。
【００５０】
蓋１４は、螺子１４ａにより本体部１０に着脱可能に形成されている。この蓋１４を取り外して、電源部の電池交換が行われる。
【００５１】
右アーム支持部１０Ｒは、右アーム部３Ｒを支持するための機構であり、左アーム支持部１０Ｌは、左アーム部３Ｌを支持するための機構である。以下、右アーム支持部１０Ｒと左アーム支持部１０Ｌとは、左右対称の機構であるため、左アーム支持部１０Ｌの説明を省略する。
【００５２】
右アーム支持部１０Ｒは、内部に右アーム部３Ｒを矢印Ｖ１方向（内側方向）に付勢するための例えば、捻りコイルバネ１０２Ｒのような付勢機構を備えて構成される。図４のように、右アーム支持部１０Ｒの上端部１０４Ｒから挿入された右アーム３０Ｒの一端（この一端部分はバネの弾性力伝達のため円柱状であるとより好適である）に捻りコイルバネ１０２Ｒが巻き付けられて、右アーム部３Ｒを矢印Ｖ３の方向へ付勢するように付勢機構が構成される。このような付勢機構により、右アーム部３Ｒは矢印Ｖ３方向に付勢され、回転軸Ｓ５を中心に回動される。
【００５３】
右アーム部３Ｒは、右アーム３０Ｒと、右接続部３８Ｒと、右ドライバユニット支持部３２Ｒとが一体的に形成されて構成される。右アーム３０Ｒは、図２（ａ）のように、右アーム支持部１０Ｒの上端部から上方に延出した後、右斜め上方に略半円状に外側に湾曲されて形成されている。また、図３（ａ）のように、後方外側に湾曲されて形成されている。
【００５４】
右接続部３８Ｒは、筒状に形成され右アーム３０Ｒと右ドライバユニット支持部３２Ｒとを仲介する。具体的には、右アーム３０Ｒの端部を右接続部３８Ｒの筒内に挿入して固定し、右接続部３８Ｒの他端は、右ドライバユニット支持部３２Ｒを下方に支持して仲介する。尚、右接続部３８Ｒと、右アーム３０Ｒとを固定せずに、伸縮可能に構成することで右アーム部３Ｒの全長を調節する機構としてもよい。
【００５５】
右ドライバユニット支持部３２Ｒは、板状に形成され、右ドライバユニット３４Ｒを支持する。また、図３（ａ）のように、右ドライバユニット支持部３２Ｒは、斜め後ろ下方に延伸するように略Ｌ字状に形成される。
【００５６】
右アーム部３Ｒを構成する右アーム３０Ｒと、右接続部３８Ｒと、右ドライバユニット支持部３２Ｒとにより、耳孔７Ｒ（図示せず）から後頭部Ｈまでの一般的な人体の側頭部形状に沿って湾曲したアームが形成される。尚、各アーム部は湾曲して形成されることとして説明したが、これに限られるものではなく、上面視略Ｌ字状に直線状に曲折させて形成することとしてもよい。
【００５７】
右ドライバユニット３４Ｒは、スピーカ部であり、耳孔７Ｒ内に挿入可能な略半球体の形状に形成され、内部にスピーカ１１８が配設されている。略半球体を形成する底面には音声を放出するための複数の孔７０が開けられた放音面７２が形成されている。右ドライバユニット３４Ｒは、右ドライバユニット支持部３２Ｒにより、放音面７２が装着時前方の矢印Ｖ５の方向へ向くように略半球体の側部が支持される。本体部１０からスピーカ１１８への信号線は、右ドライバユニット支持部３２Ｒから右接続部３８Ｒ、右アーム３０Ｒの内部を介して本体部１０に配設され、音声出力部１１６に電気的に接続されている。
【００５８】
このように右ドライバユニット３４Ｒは略半球体形状に形成されているため、着脱に際して耳孔との間で一定の抵抗を生じさせ、耳孔内への挿入だけで一定の装着感・安定感が得られる形状となっている。また、放音面７２（底面）が前方に向いた略半球体形状であるため、外部から耳孔を完全に閉ざし、外界の音を遮断することがない。従って、例えばジョギングしている際にスピーカ１１８から音声が出力されている場合であっても交通に関する外界の音を聞きとることができる。
【００５９】
次に、右アーム部３Ｒと左アーム部３Ｌとの差異について説明する。
右ドライバユニット支持部３２Ｒの右側面には、操作指示ボタンであるパルススイッチ３６Ｒが配設されている。また、左ドライバユニット支持部３２Ｌの左側面には、チューナスイッチ３６Ｌが配設されている。
【００６０】
左接続部３８Ｌの後方側端部には、板状に形成された鍔３４が接続される。鍔３４は、使用者が脈拍センサ部５を使用しないときに脈拍センサ部５を挟着・係止させるためのものである。
【００６１】
脈拍センサ部５は、本体部１０の左側面からケーブル５０を介して本体部１０に電気的に接続され、脈拍計測部１０８と通信可能に構成されている。脈拍センサ部５は、内部に発光ダイオード等の発光素子と、フォトダイオード等の受光素子とを備え、耳朶に挟着可能なように捻りコイルバネのような付勢機構によるクリップ部を有して構成されている。
【００６２】
図５は、耳装着型装置１の機能構成をブロック図で示したものである。
同図によれば、耳装着型装置１は、ＣＰＵ（Central Processing Unit）１００と、ＲＯＭ（Read Only Memory）１０２と、ＲＡＭ（Random Access Memory）１０４と、振動計測部１０６と、脈拍センサ部５で検出された脈拍から脈拍数を計測する脈拍計測部１０８と、入力部１１０と、表示部１１２と、ラジオ受信回路部１１４と、スピーカ１１８に音声を出力させる音声出力部１１６と、パルススイッチ３６Ｒと、チューナスイッチ３６Ｌとがバス１２０に接続されて構成される。
【００６３】
ＣＰＵ１００は、入力部１１０から入力される押下信号に応じて所定のプログラムに基づいた処理を実行し、各機能部への指示やデータの入出力を行ったり、表示部１１２に処理結果を表示させたりする。
【００６４】
ＲＯＭ１０２は、各種初期設定、ハードウェアの検査、又は必要なプログラムのロード等を行うための初期プログラムや、耳装着型装置１の基本機能を実現するためのプログラムを格納する。ＲＡＭ１０４は、ＣＰＵ１００が実行する各種プログラムやこれらプログラムの実行に係るデータ等を一時的に保管するメモリ領域を備える。
【００６５】
振動計測部１０６は、加速度計等の振動検出手段を備えて構成され、耳装着型装置１の振動を検出して、検出した振動から使用者の歩行又は走行ピッチを計測し、ピッチ音としてスピーカ１１８に出力させる。脈拍計測部１０８は、脈拍センサ部５により検出された脈拍から単位時間の脈拍数を計測して、計測結果を所定の音声でスピーカ１１８に出力させる。
【００６６】
入力部１１０は、上述した各種スイッチ群１８に相当し、押下されたスイッチの押下信号等をＣＰＵ１００に出力する。表示部１１２は、ＣＰＵ１００から入力される表示制御信号に基づいて各種画面を表示させる。
【００６７】
ラジオ受信回路部１１４は、受信アンテナを備え、当該受信アンテナを介してラジオ放送を受信し、受信したラジオ放送をスピーカ１１８に出力させるための回路部である。音声出力部１１６は、スピーカ１１８への音声出力を制御する回路部であり、音声信号をスピーカ１１８に出力することによりスピーカ１１８から音声を出力させる。本実施形態において、スピーカ１１８からは、脈拍数と、ピッチ音と、ラジオ放送とが使用者の操作によって選択されて出力される。
【００６８】
以上、本実施形態によれば、右アーム支持部１０Ｒの付勢機構により、右アーム部３Ｒが矢印Ｖ１方向に、左アーム支持部１０Ｌの付勢機構により左アーム部３Ｌが矢印Ｖ３方向に向けて付勢される。この付勢機構による付勢力が右アーム部３Ｒを伝わって右ドライバユニット３４Ｒに伝達されると共に、左アーム部３Ｌを伝わって左ドライバユニット３４Ｌに伝達される。そして、各ドライバユニット３４Ｒ，３４Ｌが頭部中心に向けて、即ち各ドライバユニットが近接する方向に付勢され耳孔内に押圧される。各ドライバユニット３４Ｒ，３４Ｌが半球体の形状をなしていることに加えて、この内側方向への押圧によって、ドライバユニットは耳孔内から抜けにくくなり、使用者の頭部の動きに対してずれにくくなるため、運動中にも安定した装着感が得られる。
【００６９】
また、右ドライバユニット３４Ｒと左ドライバユニット３４Ｌとを結ぶ揺動軸Ｓ１が耳装着型装置１の回転軸となるが、バッテリーなどを内蔵することによるある程度の重量を持った本体部１０が、その自重によって後頭部Ｈの下方に当接した状態で安定化されるため、耳装着型装置１の姿勢が保持される。従って、本体部１０の自重により、頭部の動きによる揺動軸Ｓ１を中心とする回転方向への揺動も抑制され、安定した装着感が得られる。
【００７０】
また、頭部への当接面は、右ドライバユニット３４Ｒと、左ドライバユニット３４Ｌと、本体部１０の背面の３カ所であるため、耳介密閉型のヘッドホンや特許文献１に記述のヘッドホンに比べて閉塞感が軽減され、より快適な装着感が得られる。
【００７１】
また、右アーム部３Ｒは耳介１１Ｒ（図示せず）の右側から、左アーム部３Ｌは耳介１１Ｌの外側から頭部に圧接される。従って、耳介１１Ｒの付け根部分に右アーム部３Ｒが、耳介１１Ｌの付け根部分に左アーム部３Ｌが掛からないため、耳装着型装置１の装着時に、眼鏡を着用することができる。
【００７２】
また、脈拍センサ部５は左耳の耳朶９Ｌに挟着・係止するため、耳装着型装置１の装着に関わる部位は頭部だけである。これより、例えば、走行中の使用者の腕の振り上げ時に、ケーブル５０が邪魔になるということがなくなる。従って、装着中のケーブルの煩わしさが軽減される。
【００７３】
また、脈拍センサ部５が本体部１０の左側面に接続されることで、使用者は、当該脈拍センサ部５を左耳の耳朶９Ｌに挟着する。この脈拍センサ部５により検出された脈拍の脈拍数を聞くためのパルススイッチ３６Ｒは、脈拍センサ部５を挟着する耳朶９Ｌとは反対側の右ドライバユニット支持部３２Ｒ上に配設されている。従って、脈拍数を聞くために行うパルススイッチ３６Ｒの押下操作時に、脈拍センサ部５に過って触れてしまうことなく、脈拍の検出への悪影響が軽減される。
【００７４】
尚、本実施形態において、耳装着型装置１の右側にパルススイッチ３６Ｒを配設し、左側に脈拍センサ部５を接続することとして説明したが、左側にパルススイッチ３６Ｒを配設し、右側に脈拍センサ部５を接続するとしても同様の効果が得られることは無論である。
【００７５】
また、放音面７２が前面を向いたいわゆるバーチカル型のドライバユニットを形成することとして説明したが、放音面が頭部内側を向いた密閉型のドライバユニットとして形成してもよいし、閉塞感が損なわれない程度のオープンエア型のドライバユニットとして形成することとしてもよい。
【００７６】
また、脈拍数を測定して音声出力することとして説明したが、例えば、脈拍センサによって血中酸素飽和濃度を光学的に検出して、音声出力することとしてもよいし、また、ドライバユニットに電子的な体温計を内蔵し、耳孔内の体温を測定して音声出力することとしてもよい。
【００７７】
また、右アーム支持部１０Ｒ及び左アーム支持部１０Ｌにより各アーム部を内側に付勢するように支持することとして説明したが、これに限られるものではなく適宜設計変更してもよい。
【００７８】
例えば、図６（ａ）のように、ポリプロピレン等の可撓性及び弾性を有する材料により上面視略Ｕ字状のヘッドバンドを形成し、その両端部に右ドライバユニット３４Ｒ及び左ドライバユニット３４Ｌを支持することとしてもよい。このヘッドバンド２００を撓ませて装着することにより、ヘッドバンド２００の内側方向への付勢力（弾性力）が働く。このため、本実施形態と同様に、各ドライバユニットを耳孔内に押圧することができる。
【００７９】
また、例えば、図６（ｂ）のように、本体部１０の両側面にヒンジ部を設け、ヒンジ部分に捻りコイルバネのような付勢機構を形成させることとしてもよい。そして、右バンド３００Ｒ及び左バンド３００Ｌを本体部１０から延伸するような形状に構成するとしてもよい。
【図面の簡単な説明】
【００８０】
【図１】本発明における耳装着型装置の（ａ）は斜視図、（ｂ）は装着状態を示す図。
【図２】本発明における耳装着型装置の（ａ）は正面図、（ｂ）は背面図。
【図３】本発明における耳装着型装置の（ａ）は右側面図、（ｂ）は左側面図。
【図４】付勢機構を説明するための右アーム支持部の拡大図。
【図５】本発明における耳装着型装置の機能構成の一例を示す図。
【図６】本発明における耳装着型装置の変形例の一例を示す図。
【符号の説明】
【００８１】
１        耳装着型装置
１０      本体部
１０Ｒ        右アーム支持部
１０Ｌ        左アーム支持部
３Ｒ      右アーム部
３０Ｒ        右アーム
３２Ｒ        右ドライバユニット支持部
３８Ｒ        右接続部
３Ｌ      左アーム部
３０Ｌ        左アーム
３２Ｌ        左ドライバユニット支持部
３８Ｌ        左接続部
３４Ｒ    右ドライバユニット
３４Ｌ    左ドライバユニット
５        脈拍センサ部
【図１】
2005185725.tif 000003
【図２】
2005185725.tif 000004
【図３】
2005185725.tif 000005
【図４】
2005185725.tif 000006
【図５】
2005185725.tif 000007
【図６】
2005185725.tif 000008
【手続補正書】
【提出日】平成16年11月18日(2004.11.18)
【手続補正１】
【補正対象書類名】図面
【補正対象項目名】図５
【補正方法】変更
【補正の内容】
【図５】
2005185725.tif 000009